(57)【要約】【課題】  被写体に撮影者情報を書き込むことにより、マーケティングや顧客サービスに役立つ情報を取得することが可能なデジタル撮影装置及び方法を提供する。【解決手段】  被写体を撮影する際、デジタル撮影装置に内蔵又は外付けされたＩＣタグリーダライタ４と、被写体に付与されたＩＣタグ２とが無線通信手段を用いて通信し、被写体に付与されたＩＣタグ２に撮影者情報を書き込む。これによって、その被写体が過去どのようなデジタル撮影装置によって撮影されたのか、撮影者の情報（氏名、年齢、性別、職業、電話番号、住所等を含む）や、撮影日時等の情報も取得可能であるため、被写体がどのような撮影者から人気があって撮影されたのか、よく撮影される時間帯等マーケティングや顧客サービスに役立つ情報を取得することが可能となる。【選択図】        図１
2006014022.tif 000002
【特許請求の範囲】
【請求項１】
被写体を撮影するデジタル撮影装置において、被写体に付与されたＩＣタグと無線により交信するための内蔵又は外付けされたＩＣタグリーダライタを有し、前記ＩＣタグリーダライタにより前記被写体に付与されたＩＣタグに撮影者情報を書き込むことを特徴とするデジタル撮影装置。
【請求項２】
被写体を撮影するデジタル撮影装置において、被写体に付与されたＩＣタグと無線により交信するための内蔵又は外付けされたＩＣタグリーダライタを有し、前記ＩＣタグリーダライタにより前記被写体に付与されたＩＣタグから被写体情報を読み出し、且つ、前記被写体に付与されたＩＣタグに撮影者情報を書き込むことを特徴とするデジタル撮影装置。
【請求項３】
前記撮影者情報は、デジタル撮影装置名、前記デジタル撮影装置に関する情報、撮影者の情報又は撮影日時情報であることを特徴とする請求項１又は２に記載のデジタル撮影装置。
【請求項４】
前記ＩＣタグは、被写体の一部に埋め込まれていることを特徴とする請求項１又は２に記載のデジタル撮影装置。
【請求項５】
被写体を撮影するデジタル撮影方法において、被写体に付与されたＩＣタグと無線により交信するための内蔵又は外付けされたＩＣタグリーダライタにより、前記被写体に付与されたＩＣタグに撮影者情報を書き込むことを特徴とするデジタル撮影方法。
【請求項６】
被写体を撮影するデジタル撮影方法において、被写体に付与されたＩＣタグと無線により交信するための内蔵又は外付けされたＩＣタグリーダライタにより、前記被写体に付与されたＩＣタグから被写体情報を読み出し、且つ、前記被写体に付与されたＩＣタグに撮影者情報を書き込むことを特徴とするデジタル撮影方法。
【発明の詳細な説明】
【技術分野】
【０００１】
本発明は、ＩＣタグを利用したデジタル撮影装置及び方法に関するものである。
【背景技術】
【０００２】
近年、物品にメモリ付き集積回路を有する「ＩＣタグ」（一般に、「非接触データキャリア」、「無線ＩＣタグ」、「非接触ＩＣ」、「非接触ＩＣラベル」、「非接触ＩＣタグ」、「ＲＦＩＤ」等と表現される場合もある。）を実装し、各種の情報を記録して商品情報表示や物流の合理化或いは物品の管理を行うようになってきている。このＩＣタグは一般にメモリーを有して情報を記憶し、且つ、ＩＣタグリーダライタにより読み取りできるようになっている。
【０００３】
また、従来よりデジタル撮影装置においては、撮影日時やタイトル等、撮影した画像の関連情報を撮影画像毎に対応付けて記録するデジタルカメラ等の画像記録装置が提案されている。これは、例えば、特開昭６０−１２８８０号公報（特許文献１）、特開昭６４−８１５８３号公報（特許文献２）等に提案されている。以下、従来のデジタル撮影装置において記録される撮影日時やタイトル等、撮影画像毎に対応付けて記録する情報のことを「画像関連情報」と呼ぶことにする。ユーザはこのような画像関連情報を利用することによって、画像ファイルの検索や管理を行うことが可能である。
【０００４】
ここで、被写体そのものの属性情報とは、被写体の識別番号、被写体の名称、被写体に関する情報が格納されたインターネットのＵＲＬ情報、被写体に関連する映像、被写体に関連する音声情報、テキスト情報等のことをいう。
【０００５】
また、特開２００３−１７４５７８号公報（特許文献３）には、電子カメラで撮影を行う際、被写体と交信を行うことにより被写体に関連する関連情報を収集し、この関連情報を撮影画面内の位置に関連付けて画像データに付加して記憶することが記載されている。
【特許文献１】特開昭６０−１２８８０号公報
【特許文献２】特開昭６４−８１５８３号公報
【特許文献３】特開２００３−１７４５７８号公報
【発明の開示】
【発明が解決しようとする課題】
【０００６】
特許文献３には、被写体と交信を行うことにより被写体に関する情報を収集することは記載されているが、被写体に撮影者情報を書き込むことに関しては言及されていなかった。このため、被写体に撮影者情報を書き込みその情報を参照することにより、例えば、マーケティングや顧客サービスに役立つ情報を取得することが可能であるが、被写体に撮影者情報を書き込むことまでには至っていなかった。
【０００７】
本発明は、上記従来の事情に鑑みなされたもので、その目的は、被写体に撮影者情報を書き込むことにより、マーケティングや顧客サービスに役立つ情報を取得することが可能なデジタル撮影装置及び方法を提供することにある。
【課題を解決するための手段】
【０００８】
本発明は、上記目的を達成するため、被写体を撮影するデジタル撮影装置において、被写体に付与されたＩＣタグと無線により交信するための内蔵又は外付けされたＩＣタグリーダライタを有し、前記ＩＣタグリーダライタにより前記被写体に付与されたＩＣタグに撮影者情報を書き込むことを特徴とする。
【０００９】
また、本発明は、被写体を撮影するデジタル撮影装置において、被写体に付与されたＩＣタグと無線により交信するための内蔵又は外付けされたＩＣタグリーダライタを有し、前記ＩＣタグリーダライタにより前記被写体に付与されたＩＣタグから被写体情報を読み出し、且つ、前記被写体に付与されたＩＣタグに撮影者情報を書き込むことを特徴とする。
【００１０】
また、本発明は、被写体を撮影するデジタル撮影方法において、被写体に付与されたＩＣタグと無線により交信するための内蔵又は外付けされたＩＣタグリーダライタにより、前記被写体に付与されたＩＣタグに撮影者情報を書き込むことを特徴とする。
【００１１】
また、本発明は、被写体を撮影するデジタル撮影方法において、被写体に付与されたＩＣタグと無線により交信するための内蔵又は外付けされたＩＣタグリーダライタにより、前記被写体に付与されたＩＣタグから被写体情報を読み出し、且つ、前記被写体に付与されたＩＣタグに撮影者情報を書き込むことを特徴とする。
【００１２】
本発明のデジタル撮影装置としては、デジタルカメラ、デジタル撮影機能付き携帯電話機や携帯端末、デジタル撮影機能付きビデオカメラ等も含んでいる。
【００１３】
また、被写体に関連する情報には、被写体の識別コード、名前、被写体に関連する情報が格納されているインターネットのＵＲＬ情報、被写体に関連する映像・音声・テキストデータ等の情報が含まれている。
【００１４】
更に、撮影者情報には、デジタル撮影装置の機種や型番等の情報、デジタル撮影装置に関する情報が格納されているインターネットのＵＲＬ情報、撮影者に関する情報（氏名、性別、年齢、職業、電話番号、住所等を含む）、撮影日時等が含まれている。
【発明の効果】
【００１５】
本発明によれば、被写体撮影時に内蔵又は外付けされたＩＣタグリーダライタより、無線通信手段を用いて撮影者情報を被写体に付与されたＩＣタグに書き込むことにより、その被写体が過去どのようなデジタル撮影装置によって撮影されたのか、撮影者の情報（氏名、年齢、性別、電話番号、住所、職業等を含む）や、撮影日時等の情報も取得可能であるため、被写体がどのような撮影者から人気があって撮影されたのか、よく撮影される時間帯等マーケティングや顧客サービスに役立つ情報を取得することが可能である。
【発明を実施するための最良の形態】
【００１６】
次に、発明を実施するための最良の形態について図面を参照して詳細に説明する。本実施形態では、美術館における絵画に付与されたＩＣタグから絵画の属性情報を取得し、撮影した実績を絵画に付与されたＩＣタグへ記憶させる場合の形態について説明する。図１はその場合の絵画とデジタル撮影装置を示す概略図である。
【００１７】
図１において、絵画１は美術館に展示されており、その一部にＩＣタグ２が付与されている。ＩＣタグ２は絵画１の額縁の一部に埋め込まれている。３は本発明に係るデジタル撮影装置であり、ＩＣタグリーダライタ機能４を有する。即ち、絵画１に付与されたＩＣタグ２の情報を、デジタル撮影装置３に内蔵または外付けされたＩＣタグリーダライタ機能４を用いて取得し、また絵画１に付与されたＩＣタグ２へ、デジタル撮影装置３に記憶されている撮影実績情報を記憶させることができる。なお、ＩＣタグ２の取り付け方法はどのような方法でもよく、また、その取り付け位置もどこでも良い。
【００１８】
また、本実施形態においては、絵画１に付与されたＩＣタグ２より取得した情報は、撮影時の各種条件等の画像関連情報を格納するＥｘｉｆ形式のタグ情報の中に格納するものとして説明する。Ｅｘｉｆ形式については、日本電子工業振興協会規格（JAPAN ELECTRONIC INDUSTRY DEVELOPMENT ASSOCIATION ATANDARD）「Digital Still Camera Image File Format Standard(Exchangeable image file format for Digital Still Camera:Exif)Version 」（2.1JEIDA-49-1998）の「2.6.Tags」の項に詳しく記載されている。
【００１９】
図２は被写体である絵画１に付与するＩＣタグ２の構成を示すブロック図である。ＩＣタグ２は信号処理部３１、記憶部３２、通信制御部３３、送信部３４、受信部３５、アンテナ共用器３６、アンテナ部３７を備えている。受信部３５は、アンテナ部３７により受信された無線信号を検出して、ＩＣタグリーダライタ機能４から送信された無線信号を受信する。信号処理部３１は記憶部３２に情報を記憶、或いは記憶部３２に記憶されている情報を送信する際に信号を処理する機能を持つ。
【００２０】
なお、記憶部３２に予め記憶されている情報としては、図３に示すように「絵画番号」、「絵画の名称」、「絵画に関するＵＲＬ情報」、「絵画が作成された時代のイメージ映像」、「絵画に関する説明の音声」、「絵画の作成者名」、「絵画を作成した日時」、「展覧している美術館名」、「絵画の値段」等の情報が考えられ、情報のスタートとエンドを示す「スタート１」、「エンド１」とともに格納されている。
【００２１】
アンテナ３７は、デジタル撮影装置３のＩＣタグリーダライタ機能４との間で無線信号を送受信する。アンテナ共用器３６は、ＩＣタグ２からＩＣタグリーダライタ機能４への無線信号の送信と、ＩＣタグリーダライタ機能４からのＩＣタグ２への無線信号の受信の双方を行うための共用回路である。通信制御部３３は送信する無線信号の変調、或いは受信した無線信号の変調等を行う。送信部３４は通信制御部３３から出力された信号を、アンテナ部３７を介して無線電波信号にして送信する。
【００２２】
記憶部３２はＩＣタグリーダライタ機能４へ送信する情報を記憶、またはＩＣタグリーダライタ機能４から受信した情報を記憶する。信号処理部３１は、ＩＣタグリーダライタ機能４から受信した情報を全て記憶し終わったら、情報読み取り完了の合図として、「読み取り完了」を示す情報を通信制御部３３へ送信する。
【００２３】
図４はＩＣタグリーダライタ機能４が内蔵もしくは外付けされたデジタル撮影装置３の構成を示すブロック図である。デジタル撮影装置３は、主にデジタル撮影機能１１とＩＣタグリーダライタ機能４に大別される。デジタル撮影機能１１について説明すると、まず、デジタル撮影装置への入力画像は、撮影デバイス（ＣＣＤ）１２により電気信号に変換され、ＡＤ変換部１３でデジタル信号に変換された後、信号制御部１４に入力される。
【００２４】
信号制御部１４で実行する主な処理として、オートフォーカス、自動絞り制御、輝度と色の信号処理、画像情報の圧縮／伸張等がある。信号制御部１４にて処理された画像情報や画像関連情報は、記憶媒体等の記憶部１５に書き込まれる。更に、信号制御部１４はＩＣタグリーダライタ機能４の信号処理部２１を制御し、ＩＣタグリーダライタ機能４の記憶部２２に記憶された情報を読み取り、記憶部１５に記憶させ、すべての情報を記憶させたかどうかを判定し、その判定結果や読み取った情報そのものや読み取った情報の一部をデジタル撮影装置に内蔵または外付けされた表示部１６に表示する機能を有する。表示部１６としてはデジタル撮影装置に付属したディスプレイや色の付いたランプ等がある。
【００２５】
また、信号制御部１４は、ＩＣタグリーダライタ機能４の信号処理部２１を制御し、被写体に付与したＩＣタグから発信される「読み取り完了」情報をＩＣタグリーダライタ機能４で受信し記憶される記憶部２２から、「読み取り完了」情報を読み出すとともに、読み出した結果をデジタル撮影装置に内蔵または外付けされた表示部１６に表示する機能を有する。
【００２６】
なお、図５に示すように「デジタル撮影装置の名称」、「デジタル撮影装置の製造番号」、「デジタル撮影装置に関する情報」、「撮影者の情報」、「撮影日時」等の撮影実績情報を、情報のスタートとエンドを示す「スタート２」、「エンド２」情報とともにデジタル撮影機能の記憶部１５に記憶させておく。
【００２７】
また、図４のＩＣタグリーダライタ機能４は、アンテナ部２７と、アンテナ共用器２６と、受信部２５と、送信部２４と、通信制御部２３と、記憶部２２と、信号処理部２１からなっている。アンテナ部２７は、被写体である絵画１に付与されたＩＣタグ２との間で無線信号の送受信を行う。アンテナ共用部２６は、ＩＣタグリーダライタ機能４からＩＣタグ２への無線信号の送信と、ＩＣタグ２からＩＣタグリーダライタ機能４への無線信号の受信の双方を行うための共用回路である。
【００２８】
受信部２５は、アンテナ部２７より受信された無線信号を検出して、ＩＣタグ２から送信された信号を受信する。送信部２４は、通信制御部２３から出力された信号に応じてアンテナ部２７を介してＩＣタグ２へ無線信号を送信する。通信制御部２３はＩＣタグ２から受信した信号の復調及び復号を行う。信号処理部２１は受信した情報を記憶部２２に記憶させたり、逆に記憶部２２に記憶されている情報を送信する機能を持つ。
【００２９】
信号処理部２１は、デジタル撮影機能の信号制御部１４からの制御で、記憶部２２に記録された被写体のＩＣタグから取得した属性情報を取り出し、デジタル撮影機能の記憶部１５へ情報を送る機能を持つ。また、信号処理部２１は、デジタル撮影機能の信号制御部１４からの制御で、デジタル撮影装置の記憶部１５に記録された撮影実績情報を取り出し、ＩＣタグリーダライタ機能の記憶部２２へ情報を送る機能を持つ。
【００３０】
図６に示すように絵画１に付与されたＩＣタグ２より取得した属性情報は、他の画像関連情報とともにＥｘｉｆ形式のタグ情報の中に格納する。
【００３１】
次に、図７及び図８のフローチャートを用いて本実施形態の動作手順を説明する。まず、図７を用いて被写体に付与されたＩＣタグ２から情報を取得する手順を説明する。始めに、被写体に対して本発明によるデジタル撮影装置３を向ける（Ｓ１００）。次いで、デジタル撮影装置３に内蔵または外付けされたＩＣタグリーダライタ機能４と被写体に付与されたＩＣタグ２が無線による通信を開始する（Ｓ１０１）。
【００３２】
次に、デジタル撮影装置３に内蔵または外付けされたＩＣタグリーダライタ機能４が、被写体に付与されたＩＣタグ２から情報の読み取りを開始する（Ｓ１０２）。被写体に付与されたＩＣタグ２の情報は「スタート１」と「エンド１」の間に含まれており、「エンド１」を読み込むことにより被写体に付与されたＩＣタグ２から情報を全て読み込んだことが判定できる。
【００３３】
デジタル撮影装置３の信号制御部１４にて全て読み込んだことを判定したら（Ｓ１０３）、デジタル撮影装置３に内蔵または外付けされた表示部１６に読み取りが完了したことを示す表示を行う（Ｓ１０４）。なお、「スタート１」を読み込んだ後、「エンド１」を読み込むまで一定時間経過した場合には、再度Ｓ１０１へ戻って無線通信を開始し、再読み取りを試みる（Ｓ１０３がＮｏの場合）。
【００３４】
次に、図８を用いて被写体に付与されたＩＣタグ２へ撮影実績情報を書き込む手順を説明する。まず、被写体に付与されたＩＣタグ２から情報を読み取り完了後、デジタル撮影装置３に記憶されている撮影実績情報を、被写体に付与されたＩＣタグ２へ送信を開始する（Ｓ１０５）。被写体に付与されたＩＣタグ２はデジタル撮影装置３のＩＣタグリーダライタ機能４から送信された撮影実績情報の読み取りを開始する（Ｓ１０６）。
【００３５】
ここで、ＩＣタグリーダライタ機能４から送信された撮影実績情報は「スタート２」と「エンド２」の間に含まれており、「エンド２」を読み込むことにより情報を全て読み取ったことが判定できる（Ｓ１０７）。ＩＣタグ２は「エンド２」を読み込むと、読み取り完了と判断し、「読み取り完了」情報をＩＣタグリーダライタ機能４へ送信する（Ｓ１０８）。
【００３６】
また、デジタル撮影装置３に内臓または外付けされたＩＣタグリーダライタ機能４から被写体に付与されたＩＣタグ２へ情報を送信した後、一定時間経過してもＩＣタグ２からの「読み取り完了」情報を受け取れない場合には、再度Ｓ１０５へ戻ってＩＣタグ２へ情報を送信する（Ｓ１０７がＮｏの場合）。
【００３７】
デジタル撮影装置３は「読み取り完了」情報を取得すると、デジタル撮影装置３に内蔵または外付けされた表示部１６に書き込み完了したことを示す表示を行う（Ｓ１０９）。この表示がなされた後、撮影者は撮影を行う（Ｓ１１０）。
【００３８】
撮影時には、信号制御部１４にて、被写体に付与されたＩＣタグ２から読み込んだ情報を、図６に示すように他の画像関連情報とともにＥｘｉｆ形式のタグ情報の中に格納して（Ｓ１１１）、処理を終了する。なお、撮影者が被写体に付与されたＩＣタグ２へ撮影実績を残す必要がなければ、図８に「被写体への撮影実績書き込み省略ルート」と表示するフロー部分のように、被写体に付与されたＩＣタグ２から情報を読み取り完了した時点で撮影してもよい。
【００３９】
このように被写体のＩＣタグ２に撮影者情報を書き込むことにより、その被写体が過去どのようなデジタル撮影装置によって撮影されたのか、撮影者の情報（氏名、年齢、性別、職業、電話番号、住所等を含む）や、撮影日時等の情報も取得可能であるため、被写体がどのような撮影者から人気があって撮影されたのか、よく撮影される時間帯等マーケティングや顧客サービスに役立つ情報を取得することが可能である。
【００４０】
また、本実施形態においては、被写体に付与されたＩＣタグ２から取得した情報は、撮影時の各種条件等の画像関連情報を格納するＥｘｉｆ形式のタグ情報の中に格納するものとして説明したが、本発明はこれに限定されず、ＤＰＯＦ形式やその他の規格における付属情報として格納しても良い。ＤＰＯＦ形式については、キヤノン株式会社、イーストマン・コダック社、富士写真フイルム株式会社、松下電器産業株式会社のＤＰＯＦ提案４社が発表したＤＰＯＦ Version 1.３に関する参考資料（http://www.panasonic.co.jp/avc/video/dpof/dpof_1３/white.htm）に記載されている。
【００４１】
本発明の他の実施形態を図９を用いて説明する。例えば、スーパー等にショッピングに行った時に、ＩＣタグ５１が付与された商品である椅子５０を本発明に係るデジタル撮影装置５２（本実施形態ではデジタルカメラ機能付き携帯電話機）で撮影する際、ＩＣタグ５１とＩＣタグリーダライタ機能５３が無線手段を用いて通信し、ＩＣタグ５１から商品である椅子５０の詳細情報を取得する。その取得した情報を、後に参照することで商品に関する詳細情報が格納されているインターネット上のホームページを閲覧したり、まだ購入していない商品をオンラインで購入したりすることが可能となる。また、上述のようにＩＣタグ５１とＩＣリーダライタ機能５３との間で交信を行い、ＩＣタグ５１に撮影者情報を書き込んでもよい。
【産業上の利用可能性】
【００４２】
本発明の利用例として、多種多様な多数の商品にＩＣタグを付与し、本発明によるデジタル撮影装置にてそれらの多数の商品を順番に撮影することにより、商品の画像と商品情報とを自動的に紐付けた電子カタログ等を作成することも容易となる。また、社会のありとあらゆる場所やありとあらゆる物にＩＣタグが付与されるようになると、デジタル撮影機能付き携帯端末等で様々な場面や局面で撮影を行った後、撮影した情報を参照することにより何が写っていたのかを知ることが可能となる。
【００４３】
また、監視カメラ等に本発明を適用することにより、例えば、駐車場に設置された監視カメラにて撮影された車の情報や、車の所有者等の情報を得ることが可能となる。また、人物撮影時等に所持品等に付与されたＩＣタグからの情報も取得することにより、人物が偽装していても本人であるかどうかの真贋判定が可能となる。
【００４４】
更に、将来人体へＩＣタグが付与されるようになると、本発明によるデジタル撮影装置にて撮影した映像データに写っている人物を特定可能になる。人物を撮影と同時にその人物の情報を取得可能であるため、証明写真等に応用することが可能である。また、ＩＣタグに個体毎に一意に定まるＩＤを付与しておき、撮影時に撮影データと共にそのＩＤデータの情報を電子透かしに記憶することにより、撮影データの不正コピー、不正流通、改竄、或いは真贋判定等にも利用可能である。
【図面の簡単な説明】
【００４５】
【図１】美術館における絵画に付与されたＩＣタグから情報を読み取り、ＩＣタグへ撮影実績を書き込む様子を示す図である。
【図２】本発明に係る被写体に付与されたＩＣタグの基本構成を示すブロック図である。
【図３】被写体である絵画に付与されたＩＣタグに格納されている情報例を示す図である。
【図４】本発明に係るＩＣタグリーダライタ機能を有するデジタル撮影装置の構成を示すブロック図である。
【図５】デジタル撮影装置に格納されている撮影実績情報例を示す図である。
【図６】絵画に付与されたＩＣタグから取得した属性情報をＥｘｉｆ形式のタグ情報の中に他の画像関連情報とともに格納した様子を示す図である。
【図７】デジタル撮影装置にて被写体に付与されたＩＣタグから情報を取得する手順を示すフローチャートである。
【図８】デジタル撮影装置から被写体に付与されたＩＣタグへ情報を記憶させる手順を示すフローチャートである。
【図９】本発明の他の実施形態を示す説明図である。
【符号の説明】
【００４６】
１  絵画
２  ＩＣタグ
３  デジタル撮影装置
４  ＩＣタグリーダライタ機能
１１  デジタル撮影機能
１２  撮影デバイス（ＣＣＤ）
１３  ＡＤ変換部
１４  信号制御部
１５  記憶部
１６  表示部
２１  信号処理部
２２  記憶部
２３  通信制御部
２４  送信部
２５  受信部
２６  共用器
２７  アンテナ部
３１  信号処理部
３２  記憶部
３３  通信制御部
３４  送信部
３５  受信部
３６  共用器
３７  アンテナ部
５０  椅子
５１  ＩＣタグ
５２  デジタル撮影機能付き携帯端末
５３  ＩＣタグリーダライタ機能
【図１】
2006014022.tif 000003
【図２】
2006014022.tif 000004
【図３】
2006014022.tif 000005
【図４】
2006014022.tif 000006
【図５】
2006014022.tif 000007
【図６】
2006014022.tif 000008
【図７】
2006014022.tif 000009
【図８】
2006014022.tif 000010
【図９】
2006014022.tif 000011